(57)【特許請求の範囲】
【請求項１】
電力節減機能を支援するホストから供給される水平及び垂直同期信号とビデオ信号に応答して電力節減機能を遂行するビデオ表示装置において：
第１の電源を供給する手段と；
前記第１の電源を使用して定電圧を発生する手段と；
第２の電源を供給する手段と；
前記第２の電源によって動作し、前記水平及び垂直同期信号と前記ビデオ信号に応答して第１及び第２の出力ポートから第１及び第２の電源制御信号を発生し、そしてキー入力部から入力されたキー入力データに応答して第３の出力ポートを通じて第３の電源制御信号を発生するマイクロコントローラと；
前記第１の電源制御信号に応答して前記定電圧を遮断する手段と；
前記第２の電源制御信号に応答して前記第１の電源を遮断する手段と；
前記第１もしくは第２の電源を使用して第３の電源を供給する手段と；
前記第３の電源によって動作し、前記ホストからのオーディオ信号を処理する手段及び；
前記第３の電源制御信号に応答して前記第３の電源を遮断する手段と、を備え、
前記オーディオ処理手段に供給される前記第３の電源をビデオ回路部とは独立して制御することを特徴とするビデオ表示装置。
【請求項２】
前記第３の電源供給手段は、前記第１もしくは第２の電源供給手段に連結される入力端子と、前記オーディオ処理手段に連結される出力端子及び、前記第３の電源遮断手段に連結される制御端子を持つパス電圧レギュレターからなり、前記パス電圧レギュレターは前記第３の電源遮断手段からのスイッチング信号に応答して前記オーディオ処理手段に前記第３の電源を供給し、遮断する請求項１に記載のビデオ表示装置。
【請求項３】
前記第３の電源遮断手段は：
前記パス電圧レギュレターの制御端子と接地との間に連結される電流通路と、制御端子を持つトランジスターと；
前記パス電圧レギュレターの前記入力端子及び前記パス電圧レギュレターの制御端子との間に連結される第１の抵抗器と；
前記パス電圧レギュレターの制御端子と前記トランジスターの制御端子との間に連結される第２の抵抗器と；
前記パス電圧レギュレターの前記制御端子と前記接地との間に連結される第３の抵抗器と；
前記トランジスターの前記制御端子と前記マイクロコントローラの前記第３出力ポートとの間に連結される第４の抵抗器と；
前記トランジスターの前記制御端子と前記接地との間に連結される第１のキャパシター及び；
前記マイクロコントローラの前記第３の出力ポートと前記接地との間に連結される第２のキャパシターを具備する請求項２に記載のビデオ表示装置。
【請求項４】
電力節減機能を支援するホストから供給される水平及び垂直同期信号とビデオ信号に応答して電力節減機能を遂行するビデオ表示装置において：
主電源を供給する主電源供給部と；
前記主電源を使用して発振回路部とＲＧＢビデオ増幅回路部に必要な定電圧を発生する定電圧発生部と；
補助電源を供給する補助電源供給部と；
前記補助電源によって動作し、前記水平及び垂直同期信号と前記ビデオ信号に応答して第１及び第２の出力ポートから第１及び第２の電源制御信号を発生し、そしてキー入力部から入力されたキー入力データに応答して第３の出力ポートを通じて第３の電源制御信号を発生するマイクロコントローラと；
前記第１の電源制御信号に応答して前記定電圧発生部から前記発振回路部及び前記ＲＧＢビデオ増幅回路部に供給される前記定電圧を遮断する第１の電源モード制御部と；
前記第２の電源制御信号に応答して前記定電圧発生部に供給される前記主電源を遮断する第２の電源モード制御部と；
前記主電源あるいは前記補助電源を使用してオーディオ電源を供給する手段と；
前記オーディオ電源によって動作するオーディオ回路及び；
前記第３の電源制御信号に応答して前記オーディオ回路に供給される前記オーディオ電源を遮断するオーディオ電源制御部と、を備えることを特徴とするビデオ表示装置。
【請求項５】
前記オーディオ電源供給部は、前記主電源供給部あるいは前記補助電源供給部に連結される入力端子と、前記オーディオ回路に連結される出力端子及び、前記オーディオ電源制御部に連結される制御端子を持つパス電圧レギュレターからなり、前記パス電圧レギュレターは前記オーディオ電源制御部からのスイッチング信号に応答して前記オーディオ回路に前記第３の電源を供給し、遮断する請求項４に記載のビデオ表示装置。
【請求項６】
前記オーディオ電源制御部は：
前記パス電圧レギュレターの制御端子と接地との間に連結される電流通路と、制御端子を持つトランジスターと；
前記パス電圧レギュレターの前記入力端子及び前記パス電圧レギュレターの制御端子との間に連結される第１の抵抗器と；
前記パス電圧レギュレターの制御端子と前記トランジスターの制御端子との間に連結される第２の抵抗器と；
前記パス電圧レギュレターの制御端子と前記接地との間に連結される第３の抵抗器と；
記トランジスターの制御端子と前記マイクロコントローラの前記第３出力ポートとの間に連結される第４の抵抗器と；
前記トランジスターの制御端子と前記接地との間に連結される第１のキャパシター及び；
前記マイクロコントローラの前記第３の出力ポートと前記接地との間に連結される第２のキャパシターと、を具備する請求項５に記載のビデオ表示装置。
【発明の詳細な説明】
【０００１】
【発明の属する技術分野】
本発明はビデオ表示装置に関し、特に、ホスト（host）やマイクロホン（microphone）から引加されるビデオ信号を処理するオーディオ回路を持つビデオ表示装置、及びオーディオ回路に供給される電源を制御する方法に関する。
【０００２】
【従来の技術】
一般的に、コンピューターと共に使用されるＣＲＴ表示モニター装置のようなビデオ表示装置で使用される電源供給部は内部制御によって必要な電圧及び電流を提供することができるように設計される。このような電源供給システムは、パワーオフである場合、ビデオ表示装置に供給される電源を遮断する電源遮断回路を具備している。
【０００３】
オーディオ回路を備えたビデオ表示装置で、ビデオ回路と関連する電源の節減は、ＶＥＳＡ（video electronics standard association) 勧告によるＤＰＭＳ（display power management signaling）制御によって遂行される。前記ＤＰＭＳ電源供給方式は、よく知られているように、定常モード（nomalmode）、待機モード（standby mode）、一時停止モード（suspend mode）及び電力遮断モード（power-off mode）に分類されている。
【０００４】
ビデオ表示装置のＤＰＭＳ電源供給モードは、ビデオ電源節減機能を持つホスト、すなわち個人用コンピューターから供給される水平、垂直同期信号及びビデオ信号によって決定される。まず、ホストから水平、垂直同期信号及びビデオ信号の全てが入力されると、ビデオ表示装置は定常電源供給モードで動作する。ホストから垂直同期信号のみが入力される場合は、ビデオ表示装置の電源供給モードは待機モードになる。このモードでは多数の回路が低電力消費状態へと移行する。一方、ホストから水平同期信号のみが入力される場合は、ビデオ表示装置が一時停止モードへと移行する。このモードでは、オーディオ回路への電源が遮断され、オーディオ回路の動作が不可能になる。最後に、ホストから水平、垂直同期信号及びビデオ信号のうち、いずれも入力されなければ、ビデオ表示装置は電力遮断モードになる。このモードでもオーディオ回路への電源が遮断される。
【０００５】
【発明が解決しようとする課題】
前述のように、ビデオ表示装置が電源節減モード、特に、一時停止及び電源遮断モードで動作すると、使用者の意思とは無関係にオーディオ回路への電源供給が遮断されてしまうという問題が発生する。これは、オーディオ回路の動作及び非動作がビデオ表示装置の電力供給モードに依存して決定されることに起因する。
【０００６】
従って、本発明の目的は、オーディオ回路用電源をビデオ回路用電源とは独立して制御することができるビデオ表示装置及びその方法を提供するものである。
【０００７】
【課題を解決するための手段】
前記のような目的を達成するため本発明では、電力節減機能を支援するホストから供給される水平及び垂直同期信号とビデオ信号に応答して電力節減機能を遂行するビデオ表示装置において、第１の電源を供給する手段と、第１の電源を使用して定電圧を発生する手段と、第２の電源を供給する手段と、第２の電源によって動作し、水平及び垂直同期信号とビデオ信号に応答して第１及び第２の出力ポートから第１及び第２の電源制御信号を発生し、そしてキー入力部から入力されたキー入力データに応答して第３の出力ポートを通じて第３の電源制御信号を発生するマイクロコントローラと、第１の電源制御信号に応答して定電圧を遮断する手段と、第２の電源制御信号に応答して第１の電源を遮断する手段と、第１の電源を使用して第３の電源を供給する手段と、第３の電源によって動作し、ホストからのオーディオ信号を処理する手段及び第３の電源制御信号に応答して第３の電源を遮断する手段と、を具備して、オーディオ処理手段に供給される第３の電源をビデオ回路部とは独立して制御するビデオ表示装置を提供するものである。
【０００８】
また、この装置のほか本発明では、電力節減機能を支援するホストから供給される水平及び垂直同期信号とビデオ信号に応答して電力節減機能を遂行するビデオ表示装置において、主電源を供給する主電源供給部と、主電源を使用して発振回路部とＲＧＢビデオ増幅回路部に必要な定電圧を発生する定電圧発生部と、補助電源を供給する補助電源供給部と、補助電源によって動作し、水平及び垂直同期信号とビデオ信号に応答して第１及び第２の出力ポートから第１及び第２の電源制御信号を発生し、そしてキー入力部から入力されたキー入力データに応答して第３の出力ポートを通じて第３の電力制御信号を発生するマイクロコントローラと、第１の電源制御信号に応答して定電圧発生部から発振回路部及びＲＧＢビデオ増幅回路部に供給される定電圧を遮断する第１の電源モード制御部と、第２の電源制御信号に応答して定電圧発生部に供給される主電源を遮断する第２の電源モード制御部と、主電源あるいは補助電源を使用してオーディオ電源を供給する手段と、オーディオ電源によって動作するオーディオ回路及び第３の電源制御信号に応答してオーディオ回路に供給されるオーディオ電源を遮断するオーディオ電源制御部と、を含むビデオ表示装置をも提案する。
【０００９】
さらに、本発明は、オーディオ回路を備える電力節減機能を支援するホストからの水平及び垂直同期信号とビデオ信号に応答してビデオ回路部のためのビデオ電力節減機能を遂行するビデオ表示装置で電源を制御する方法において、オーディオ回路のためのオーディオ電力節減と関連する多数の設定フラグの状態変更を要求するかを判別する段階と、オーディオ電源節減状態変更の要求がある時、多数のフラグの状態を変更する段階と、多数のフラグのうち、少なくとも一つが変更されたかを判定する段階と、少なくとも一つのフラグが変更された時、オーディオ回路を作動させるか否かを示すオーディオ動作フラグ（ＡＯＦ）が活性状態に設定されているかを判別する段階と、オーディオ動作フラグ（ＡＯＦ）が活性状態に設定されている時、オーディオ回路に電源を供給する段階と、オーディオ回路への電源が供給されているか否かを示すオーディオ電源状態フラグ（ＡＰＳＴＦ）を活性状態に設定する段階と、あらかじめ設定された状態、あるいは変更された状態によってビデオ電力節減とは独立してオーディオ回路の電力節減を制御する段階と、オーディオ動作フラグ（ＡＯＦ）が非活性状態に設定されている時、オーディオ回路に供給されるオーディオ電源を遮断する段階及びオーディオ電源状態フラグ（ＡＰＳＴＦ）を非活性状態に設定する段階と、を含むようにするとよい。
【００１０】
【発明の実施の形態】
以下、本発明の一実施形態を添付図面に基づき詳細に説明する。図１は従来のオーディオ回路を持つビデオ表示装置の一例を示すもので、本発明と従来技術とを対比しやすくするために、まず、従来のオーディオ回路を持つビデオ表示装置を説明する。図１によるビデオ表示装置は、全波整流部１０、主電源供給部２０、高電圧発生部３０、偏向回路部３５、定電圧発生部４０、発振回路部５０及びオーディオ回路６０を具備している。このビデオ表示装置はビデオ電源節減機能を支援するホスト（すなわち、個人用コンピューター）から供給される水平、垂直同期信号及びビデオ信号に応答してビデオ回路部の電源節減機能を遂行する。
【００１１】
主電源供給部２０は、高電圧発生部３０、偏向回路部３５、定電圧発生部４０等で必要な各種の電源を供給する。高電圧発生部３０はＣＲＴ１５０に高電圧を引加する。偏向回路部３５はＣＲＴ１５０の電子銃（Ｒ、Ｇ、Ｂ electron guns）から照射された電子ビーム（electron beams) を水平あるいは／及び垂直方向に偏向させる。定電圧発生部４０は、オーディオやビデオ信号の増幅等、各種の発振に必要な定電圧を発生する。発振回路部５０及びオーディオ回路６０は定電圧発生部４０に連結される。
【００１２】
ビデオ表示装置は、電源遮断制御部７０、一時停止制御部８０、補助電源供給部９０及びマイクロコントローラ１００をさらに具備している。一時停止制御部８０、補助電源供給部９０、マイクロコントローラ１００は、ホストからの情報に応答して、ＤＰＭＳ電源供給モードを制御するように機能する。
【００１３】
この技術分野でよく知られているように、ＶＥＳＡによって規定されたＤＰＭＳ電源供給モードは正常モード、待機モード、一時停止モード及び電源遮断モードに区分される。このようなＤＰＭＳシステムによると、２０インチ（inch) 表示モニター装置の消費電力は、正常モードで約１３０Ｗ、一時停止モードで約３０Ｗ、電源遮断モードで８Ｗ以下である。
【００１４】
図１による補助電源供給部９０は、マイクロコントローラ１００によってＤＰＭＳ電源制御とは無関係に、常時、一定のＤＣ電圧（たとえば、５Ｖ）を供給する。マイクロコントローラ１００は、ホストからの水平および垂直同期信号Ｈ−ＳＹＮＣ、Ｖ−ＳＹＮＣ、キー入力部（図示されていない）からのキー入力データを受け、電源制御信号ＰＳＳＡ及びＰＳＳＢを発生し、これを出力ポートＡ及びＢを通じて出力する。また、マイクロコントローラ１００は、ホストからの水平、垂直同期信号Ｈ−ＳＹＮＣ、Ｖ−ＳＹＮＣ及びＲＧＢビデオ信号を利用してビデオ回路部と関連する電力節減機能を遂行する。
【００１５】
ホストから水平、垂直同期信号及びビデオ信号全てが入力されると、マイクロコントローラ１００は現在の電源制御モードが正常モードであることを認識する。このモードでは、マイクロコントローラ１００は電源制御信号ＰＳＳＡ及びＰＳＳＢの何れも発生しない。従って、主電源供給部２０及び定電圧発生部４０は通常どおりに動作する。
【００１６】
ホストから垂直同期信号Ｖ−ＳＹＮＣのみが入力されると、マイクロコントローラ１００は現在の電源供給モードが待機モードであることを認識する。このモードでも電源制御信号ＰＳＳＡ及びＰＳＳＢは、何れも発生されない。又、このモードでは多数の回路が低電力消費状態へと移行する。このように各回路が低電力消費モードになることは本発明の技術要旨とは直接的な関連がないので、これに対する説明を省略する。
【００１７】
一方、ホストから水平同期信号Ｈ−ＳＹＮＣのみが入力されと、マイクロコントローラ１００は現在の電源供給モードが一時停止モードであることを認識する。このモードでは、マイクロコントローラ１００が電源制御信号ＰＳＳＢを発生する。この信号に応答して一時停止制御部８０は定電圧発生部４０をディスエーブルする。これにより発振回路部５０及びオーディオ回路６０への電源供給が遮断され、オーディオ回路の動作が不可能になる。
【００１８】
ホストから同期信号及びビデオ信号の何れも入力されない場合には、マイクロコントローラ１００は現在の電源供給モードが電源遮断モードであることを認識する。この場合、マイクロコントローラ１００は、主電源供給部２０が電源遮断制御部７０によってディスエーブルされるように電源制御信号ＰＳＳＡを発生する。従って、高電圧発生部３０、偏向回路部３５、定電圧発生部４０、発振回路部５０及びオーディオ回路６０への電源供給が遮断される。
【００１９】
前述のように、図１によるデオ表示装置は定電圧発生部４０に連結されるオーディオ回路を具備しており、ビデオ表示装置が電源節減モード（特に、一時停止及び電源遮断モード）で動作するようになると、使用者の意志とは無関係にオーディオ回路への電源が遮断されるという問題が発生する。つまり、ビデオ表示装置のオーディオ回路は、電源供給モードに依存して動作するようになっている。
【００２０】
次に、図２に基づいて本発明の第１実施形態によるビデオ表示装置を詳細に説明する。図２による第１実施形態のビデオ表示装置は、定電圧発生部３３０と分離されたオーディオ電源供給部３４０を備えている。オーディオ電源供給部３４０は主電源供給部３１０に直接連結され、オーディオ回路３６０に電源（オーディオ電源）を供給する。マイクロコントローラ４１０は、キー入力部４５０から入力された入力データに応答して、オーディオ電源制御信号ＰＳＳＣを発生する。さらに、この第１実施形態によるビデオ表示装置は、オーディオ制御部３５０を備えている。このオーディオ電源制御部３５０は、オーディオ電源制御信号ＰＳＳＣが入力されてオーディオ回路３６０に供給されるオーディオ電源を遮断する。このような構成とすることにより電源遮断モードを除いた電源節減モードで、オーディオ回路への電源供給がビデオ回路部と独立するようになり、使用者の意図によって制御することができるようになる。
【００２１】
全波整流部３００は、ブリッジダイオード回路（図示しない）で構成され、９０〜２６０ＶのＡＣ電圧を受ける。よく知られているように、主電源供給部３１０は、ブーストトランスフォーマー（boost transformer)及びスイッチングトランスフォーマー、スイッチング素子、パルス幅変調制御回路等で構成される。主電源供給部３１０は、高電圧発生部３２０、偏向回路部３２５、定電圧発生部３３０等で使用される各種の電圧（たとえば、６、１４、２５、３０、８０、２００Ｖ等）を供給する。高電圧発生部３２０はＣＲＴ４７０に高電圧（たとえば、６〜８ＫＶ）を供給する。偏向回路部３２５はＣＲＴ４７０の電子銃から照射された電子ビームを水平及び垂直方向に偏向させる。定電圧発生部３３０は定電圧（たとえば、１２Ｖ）を発振回路部３７０及びビデオ増幅回路部４６０に供給する。発振回路部３７０は、よく知られているように、高電圧発振機、偏向制御発振機、水平及び垂直発振機等で構成される。
【００２２】
ビデオ表示装置は、補助電源供給部４００、マイクロコントローラ４１０、電源遮断制御部３８０、一時停止制御部３９０、キー入力部４５０、ＯＳＤビデオ発生部４２０、ミクサー４３０、ビデオ増幅回路部４６０及びビデオ出力部（あるいは、電子銃駆動部）４４０をさらに具備している。補助電源供給部４００はＤＰＭＳ制御とは無関係に、常時、マイクロコントローラ４１０に一定なＤＣ電圧（たとえば、５Ｖ）を供給する。マイクロコントローラ４１０は、ホストからの水平及び垂直同期信号Ｈ−ＳＹＮＣ、Ｖ−ＳＹＮＣ及びキー入力部４５０からのキー入力データを受け、電源制御信号ＰＳＳＡ、ＰＳＳＢ及びＰＳＳＣを発生する。又、マイクロコントローラ４１０は、使用者の操作によってキー入力部４５０からキー入力データが入力されると、ＯＳＤビデオ信号を発生するようにＯＳＤビデオ発生部４２０を制御する。ミキサー４３０は、ＯＳＤビデオ発生部４２０からのＯＳＤビデオ信号とホストからビデオ増幅回路部４６０を通じて引加されるメインビデオ信号を混合する。このように混合されたビデオ信号はビデオ出力部４４０を通じてＣＲＴ４７０の電子銃に提供される。
【００２３】
このような第１実施形態のビデオ表示装置を構成するマイクロコントローラ４１０、電源遮断制御部３８０、一時停止制御部３９０及びオーディオ電源制御部３５０は、ホスト及びキー入力部からの情報に応答してＤＰＭＳ電源供給モード及びオーディオ電源モードを制御するように機能する。
【００２４】
オーディオ電源供給部３４０は、主電源供給部３１０に直接連結され、定電圧発生部３３０とは独立してオーディオ回路３６０へオーディオ電源を供給する。前述のように、マイクロコントローラ４１０はホストからの同期信号Ｈ−ＳＹＮＣ、Ｖ−ＳＹＮＣ及びビデオ信号を利用してビデオ回路部と関連する電源供給モード（すなわち、ビデオ電力節減）を制御する。また、マイクロコントローラ４１０はキー入力部４５０からのキー入力データを使用してオーディオ回路部と関連する電力節減モード（すなわち、オーディオ電力節減）を制御する。。
【００２５】
以下、図２に示す回路が遂行するオーディオ電力供給モードを詳細に説明する。たとえば、使用者が表示装置のオーディオ電力節減モードを電流遮断モードに設定したと仮定する。この場合、ホストから水平同期信号Ｈ−ＳＹＮＣのみが入力されても、つまり、表示装置のビデオ電源供給モードが一時停止モードになっても、オーディオ電源制御信号ＰＳＳＣは正常電源供給モードと同じように非活性状態のようになる。従って、オーディオ回路３６０はオーディオ電源供給部３４０からオーディオ電源が供給されるようになる。すなわち、オーディオ回路３６０はビデオ電力節減モードとは無関係に、通常どおりの動作をする。この場合、ビデオ表示装置が電力遮断モードに移行するまで、オーディオを電源がオーディオ回路３６０に供給される。
【００２６】
また、他の一例として、表示装置のオーディオ電力節減モードが待機モードに設定されていると仮定すると、ビデオ表示装置が一時停止及び電力遮断モードは勿論、待機モードになっても、オーディオ電源制御信号ＰＳＳＣは活性化される。この場合、オーディオ電源制御部３５０は、オーディオ電源制御信号ＰＳＳＣに応答してオーディオ回路３６０に供給されるオーディオ電源を遮断する。このような状態で、表示装置が正常モードに復帰すると、オーディオ電源制御部３５０はオーディオ回路３６０に再びオーディオ電源を供給させる。
【００２７】
図３に図２のオーディオ電源供給部３４０及びオーディオ電源制御部３５０の回路図を示す。図３に示したように、オーディオ電源供給部３４０は、パス（あるいはプログラム可能な）電圧レギュレータ３４１を具備している。このパス電圧レギュレータ３４１の入力端子Ｌ１は主電源供給部３１０に連結され、出力端子Ｌ２はオーディオ回路３６０に連結される。パス電圧レギュレータ３４１の制御端子Ｌ３はオーディオ電源制御部３５０の出力端子と連結される。オーディオ電源供給部３４０はオーディオ電源をオーディオ回路３６０に供給し、オーディオ電源制御部３５０からのスイッチング制御信号に応答してスイッチングオン／オフされる。
【００２８】
オーディオ電源制御部３５０はＰＮＰバイポーラトランジスターＴＲ１、抵抗器Ｒ１〜Ｒ４及びキャパシターＣ１、Ｃ２で構成される。トランジスターＴＲ１の電流通路（すなわち、エミッターコレクタ通路）はパス電圧レギュレータ３４１の制御端子Ｌ３と接地の間に連結され、この制御端子は抵抗器Ｒ４を通じてマイクロコントローラ４１０の出力端子Ｃに連結される。抵抗器Ｒ１はパス電圧レギュレータ３４１の入力端子Ｌ１と制御端子Ｌ３の間に連結される。抵抗器Ｒ２はパス電圧レギュレータ３４１の制御端子Ｌ３とトランジスターの制御端子（すなわち、ベース）の間に連結される。抵抗器Ｒ３はパス電圧レギュレータ３４１の制御端子Ｌ３と接地の間に連結される。キャパシターＣ１はトランジスターＴＲ１の制御端子と接地の間に連結され、キャパシターＣ２はマイクロコントローラ４１０と接地の間に連結される。
【００２９】
オーディオ電源制御部３５０の入力端子Ｌ４にローレベルの電源制御信号ＰＳＳＣが引加される場合にはトランジスターＴＲ１がタンーオンされ、パス電圧レギュレータ３４１がスイッチングーオンされる。従って、オーディオ電源供給部３４０からオーディオ回路３６０にオーディオ電源が供給される。一方、ハイレベルの電源制御信号ＰＳＳＣがオーディオ電源制御部３５０の入力端子Ｌ４に引加されると、トランジスターＴＲ１がタンーオフされパス電圧レギュレータ３４１がスイッチオフされる。その結果、オーディオ電源供給部３４０からオーディオ回路３６０に供給される電源が遮断される。
【００３０】
このように、オーディオ電源供給は、マイクロコントローラ４１０によってビデオ電源供給モード（すなわち、待機、一時停止及び電源遮断モード）とは独立して制御される。従って、ビデオ表示装置が待機モードや一時停止モードに移行してもオーディオ回路３６０はその電源供給モードとは関係なく動作することができる。この実施形態によると、電源遮断モード以外の他の電源供給モードでは、ビデオ回路部に独立的に、そして使用者の意図によってオーディオ回路３６０への電源供給を制御することが可能となる。
【００３１】
図４に本発明の第２実施形態を図示する。図４において、図２の回路構成と同一・対応する部分には可能な限り同一の参照番号を表示する。説明の簡略化のため、それらに対する説明は省略する。
【００３２】
第２実施形態では、オーディオ電源供給部３４０ａは補助電源供給部４００に直接連結され、オーディオ回路３６０ａにオーディオ電源を供給する。マイクロコントローラ４１０はキー入力部４５０から入力されたキー入力データに応答してオーディオ電源制御信号ＰＳＳＣを発生する。オーディオ電源制御部３５０ａは、マイクロコントローラ４１０からのオーディオ電源制御信号ＰＳＳＣに応答して、オーディオ回路３６０ａに供給されるオーディオ電源を遮断するように動作する。従って、ビデオ表示装置が、ある電力節減モードに移行しても、オーディオ電力節減に対する要求があればＤＰＭＳ電源供給モードと無関係にオーディオ回路３６０ａを動作させることが可能である。
【００３３】
図４においてオーディオ電源供給部３４０ａ及びオーディオ電源制御部３５０ａは、パス電圧レギュレータ３４１の入力端子Ｌ１が主電源供給部３１０ではなく補助電源供給部４００に連結されていることを除いては図３に示した回路構成と同一である。
【００３４】
図５〜図８に基づいてオーディオ回路３６０あるいは３６０ａに供給されるオーディオ電源を制御する方法を説明する。
【００３５】
本発明の方法を遂行するための制御プログラムはマイクロコントローラ４１０によって実行される。図２あるいは図４のカラーＣＲＴ表示装置で、使用者は自身の意志によってビデオ回路部とは独立にオーディオ回路３６０あるいは３６０ａに供給されるオーディオ電源を制御することができる。
【００３６】
図５を参照すると、段階Ｓ１００では、使用者が表示装置のキー入力部を操作することで、オーディオ電力節減と関連する多数の設定フラグ状態（予め設定された状態）を変更するか否かが判別される。段階Ｓ１００で、フラグ状態変更要求のあることが判別されると、制御フローは段階Ｓ２００に進行する。段階Ｓ２００では図６に示すフラグ状態変更ルーチンによってフラグの状態を変更する。
【００３７】
図６を参照すると、段階Ｓ２０２では、表示装置の画面上にオーディオ電力節減モードと関連するＯＳＤメニューが表示され、段階Ｓ２０４に進行する。この段階では、オーディオ回路を作動させるか否かを判別する。段階Ｓ２０４で、‘ＮＯ’であると、制御は段階Ｓ２０５に進行する。この段階ではオーディオ回路を作動させるか否かを示すオーディオ動作フラグ（ＡＯＦ）を非活性状態に設定する。その後、段階Ｓ２１６で、オーディオ電力節減を遂行するかどうか否かを示すオーディオ電力節減フラグ（ＡＰＳＦ）を非活性状態に設定する。
【００３８】
段階Ｓ２０４で、オーディオ回路の作動を要求することが判別されると、オーディオ動作フラグ（ＡＯＦ）を活性状態に設定する（段階Ｓ２０６）。次いで、制御フローは段階Ｓ２０９に進行し、オーディオ電力節減に対する要求があるか否かを判別する。段階Ｓ２０９で‘ＹＥＳ’であると、オーディオ電力節減モードフラグ（ＡＰＳＭＦ）は待機、一時停止及び電源遮断状態のうち、いずれか一つに設定される。
【００３９】
具体的には、段階Ｓ２１０ではオーディオ待機モードが要求されるか否かが判別される。オーディオ待機モードが要求されると、段階Ｓ２１１でオーディオ電力節減モードフラグ（ＡＰＳＭＦ）は待機状態に設定される。そうでなければ、段階Ｓ２１２でオーディオ一時停止モードが要求されるか否かが判別される。段階Ｓ２１２でオーディオ一時停止モードが要求されると、制御は段階Ｓ２１３に進行し、オーディオ電力節減モードフラグ（ＡＰＳＭＦ）を一時停止モードに設定する。段階Ｓ２１２でオーディオ一時停止モードが要求されないと、制御は段階Ｓ２１４に進行する。この段階では、オーディオ電力節減モードが要求されたか否かが判別される。段階Ｓ２１４でオーディオ電力節減モードが要求されると、制御フローは段階Ｓ２１５に進行してオーディオ電力節減モードフラグ（ＡＰＳＭＦ）を電源遮断状態に設定する。その後、制御は段階Ｓ２１７に進行する。段階Ｓ２１７では、オーディオ電力節減フラグ（ＡＰＳＦ）を活性状態に設定する。
【００４０】
一方、段階Ｓ２０９及び段階Ｓ２１４で‘ＮＯ’であると、制御は段階Ｓ２１６に進行する。この段階ではオーディオ電力節減フラグ（ＡＰＳＦ）を非活性状態に設定する。
【００４１】
その後、段階Ｓ２０３で、キー入力部からのキー入力データの入力の終了を要求するか否かを判定する。キー入力データの入力が終了であると、制御は段階Ｓ２０７に進行し、ＣＲＴ画面でＯＳＤメニューを閉じた後、制御は図５の段階Ｓ３００に進行する。段階Ｓ２０３でキー入力データの入力が終了でなければ、制御フローは段階Ｓ２０４にジャンプする。
【００４２】
前述したフラグ状態変更ルーチンが完了した後、制御は、図５の段階Ｓ３００に進行する。段階Ｓ３００では、図７に示したようなオーディオオン／オフ制御ルーチンが実行される。
【００４３】
図７を参照すると、段階Ｓ３０２で、少なくとも一つのフラグが変更されたか否かが判別される。段階Ｓ３０２で‘ＹＥＳ’であると、制御は段階Ｓ３０３に進行する。この段階では、オーディオ動作フラグ（ＡＯＦ）が活性状態に設定されているか否かが判定される。段階Ｓ３０３で‘ＹＥＳ’であると、段階Ｓ３０４で、オーディオ回路はオーディオ電源供給部からオーディオ電源の供給を受ける。次いで、制御は段階Ｓ３０５に進行し、オーディオ電源状態フラグ（ＡＰＳＴＦ）を活性状態に設定する。その後、制御は図５の段階Ｓ５００に進行する。
【００４４】
一方、図７の段階Ｓ３０３で‘ＮＯ’であると、段階Ｓ３０６でオーディオ回路への電源供給が遮断される。つづいて、制御は段階Ｓ３０７に進行する。この段階ではオーディオ電源状態フラグ（ＡＰＳＴＦ）を非活性状態に設定する。その後、制御は図５の段階Ｓ５００に進行する。
【００４５】
図５において、前述したオーディオオン／オフ制御ルーチンの遂行が完了すると、制御は段階Ｓ５００に進行する。段階Ｓ５００では、図８に示したオーディオ電力節減制御ルーチンが実行される。オーディオ電力節減制御ルーチンによってビデオ電力節減制御とは独立してオーディオ電力節減制御が遂行される。
【００４６】
図８を参照すると、段階Ｓ５０２では、オーディオ電力節減フラグが活性状態に設定されているか否かが判定される。段階Ｓ５０２で‘ＹＥＳ’であると、制御は段階Ｓ５０３に進行する。この段階ではビデオ電源節減モード（ＶＰＳＭ）が待機状態にあるか否かが判定される。段階Ｓ５０３で‘ＹＥＳ’であると、制御は段階Ｓ５０６に進行し、オーディオ電力節減モードフラグ（ＡＰＳＭＦ）が待機状態に設定されているか否かが判定される。段階Ｓ５０６で‘ＹＥＳ’であると、段階Ｓ５０９でオーディオ電源状態フラグ（ＡＰＳＴＦ）が活性状態に設定されているか否かが判定される。段階Ｓ５０９で‘ＹＥＳ’であると、制御は段階Ｓ５１０と段階Ｓ５１１に順次に進行し、オーディオ電源を遮断して、オーディオ電源状態フラグ（ＡＰＳＴＦ）を非活性状態に設定する。その後、あるいは段階Ｓ５０９で‘ＮＯ’であると、制御は図５の段階Ｓ６００に進行する。
【００４７】
一方、段階Ｓ５０６で、オーディオ電力節減モードフラグ（ＡＰＳＭＦ）が待機状態に設定されていなければ、段階Ｓ５１２でオーディオ電源状態フラグ（ＡＰＳＴＦ）が非活性状態に設定されているか否かが判定される。段階Ｓ５１２で‘ＹＥＳ’であると、制御は段階Ｓ５１３とＳ５１４に順次に進行し、オーディオ電源をオーディオ回路に供給させ、オーディオ電源状態フラグ（ＡＰＳＴＦ）を活性状態に設定する。その後、あるいは段階Ｓ５１２で‘ＮＯ’であると、制御は図５の段階Ｓ６００に進行する。
【００４８】
段階Ｓ５０３で、ビデオ電力節減モード（ＶＰＳＭ）が待機状態でないと、段階Ｓ５０４でビデオ電力節減モード（ＶＰＳＭ）が一時停止状態にあるか否かが判定される。段階Ｓ５０４で‘ＹＥＳ’であると、制御は段階Ｓ５０７に進行する。この段階ではオーディオ電力節減モードフラグ（ＡＰＳＭＦ）が一時停止状態に設定されているか否かが判定される。段階Ｓ５０７で、‘ＹＥＳ’であると制御は段階Ｓ５０９に進行し、‘ＮＯ’であると制御は段階Ｓ５１２に進行する。
【００４９】
段階Ｓ５０４で、ビデオ電力節減モード（ＶＰＳＭ）が一時停止モードでなければ、段階Ｓ５０５でビデオ電力節減モード（ＶＰＳＭ）が電源遮断状態にあるか否かが判定される。段階Ｓ５０５で‘ＹＥＳ’であると、制御は段階Ｓ５０８に進行し、オーディオ電力節減モードフラグ（ＡＰＳＭＦ）が電源遮断状態に設定されているか否かが判定される、段階Ｓ５０８で、‘ＹＥＳ’であると制御は段階Ｓ５０９に進行し、‘ＮＯ’であると制御は段階Ｓ５１２に進行する。
【００５０】
段階Ｓ５０５で、ビデオ電力節減モード（ＶＰＳＭ）が電源遮断状態にあると、制御は図５の段階Ｓ６００に進行する。
【００５１】
図５に示したように、段階Ｓ６００ではフラグ状態変更が終了したか否かが判別される。段階Ｓ６００で、‘ＹＥＳ’であると制御が終了し、‘ＮＯ’であると制御は段階Ｓ１００に戻る。
【００５２】
第１，第２実施形態は、本発明の理解を促進する目的で説明したが、この技術分野における通常の知識を持つ者であれば、添付したクレームに記載の本発明の範囲及び技術思想内で、様々な変形、付加及び代替が可能であることを容易に理解することができる。
【００５３】
【発明の効果】
本発明によると、表示装置がどのような電力節減モードにあっても、これら電源モードとは無関係に使用者の意図によってオーディオ回路を動作させることができるようになる。
【図面の簡単な説明】
【図１】陰極線管（ＣＲＴ）及びオーディオ回路を備えたビデオ表示装置の一例を示すブロック図。
【図２】本発明の第１実施形態によるビデオ表示装置を示すブロック図。
【図３】図２のオーディオ電源供給部及びオーディオ電源制御部の回路図。
【図４】本発明の第２実施形態によるビデオ表示装置を示すブロック図。
【図５】オーディオ回路に供給される電源を制御する方法を示すフローチャート。
【図６】図５のフラグ状態変更ルーチンのフローチャート。
【図７】図５のオーディオオン／オフ制御ルーチンのフローチャート。
【図８】図５のオーディオ電源節減制御ルーチンのフローチャート。
【符号の説明】
３１０ 主電源供給部
３３０ 主電圧発生部
３４０ オーディオ電源供給部
３５０ オーディオ電源制御部
３６０ オーディオ回路
４００ 補助電源供給部
４１０ マイクロコントローラ
【図１】
0003732313.tif 000002
【図２】
0003732313.tif 000003
【図３】
0003732313.tif 000004
【図４】
0003732313.tif 000005
【図５】
0003732313.tif 000006
【図６】
0003732313.tif 000007
【図７】
0003732313.tif 000008
【図８】
0003732313.tif 000009